(57)【特許請求の範囲】
【請求項１】
リフォーム対象の住宅の左右の壁各々に下地枠３ａ、３ｂを取り付け、次いでそれら壁に必要な幅木５を施工し、クロス６を貼り終えた後に、上記左右の下地枠３ａ、３ｂ各々に対して、左右の縦枠１０ａ、１０ｂを鉛直度、真直度、隙間調節を行いながら取付部材１１を用いて取付け、而る後にドアを取付けるリフォームによるドア取付け工法であって、上記左右の下地枠３ａ、３ｂ各々に縦枠の嵌合用の嵌合溝７ａ、７ｂを予め形成しておくと共に、上記壁の厚さ以下の幅より成り、表面にドアの端部に対向する面Ｅと、それから突出する突部Ｆが形成されて成る縦枠１０ａ、１０ｂを有し、上記左右各々の嵌合溝７ａ、７ｂに対して左右各々縦枠１０ａ、１０ｂを嵌合させて、取付部材１１を用いて取付け、而る後に、上記縦枠の表面のドアの端部対向面Ｅにドアの端部を対向させてドアを取付けるリフォームによるドア取付け工法に於いて、
上記下地枠３ａ、３ｂの幅寸法Ｓを、壁厚Ｗ内に収まるよう小さく設定し、その幅寸法が小さく成された下地枠３ａ、３ｂを壁に取付けた時に生ずる壁コーナの段差を解消すべく、壁コーナにコーナビート３０を被覆し、且つコーナビート３０の裏側にパテ材３２を充てんし、而る後に上記幅木５を施工し、クロス６を貼るようにしたことを特徴とするリフォームによるドア取付け工法。
【発明の詳細な説明】
【技術分野】
【０００１】
本発明はリフォームによるドア取付け工法に係わり、更に詳しくはリフォームによって幅木の施工、クロスの貼り付けを終えた後に、ドア吊込み用のドア枠を取付けるリフォーム時の建具枠を完全に後付け出来る工法に関する。
【背景技術】
【０００２】
周知の通り建具、例えばドアを吊込む為には建具枠としてのドア枠(縦枠)を壁に取付ける必要がある。
多くの施工現場に於いては依然として次の工法が採られている。即ちドア枠を例にとると、壁下地を施工した後、下地枠を施工し、その後に縦枠を取付ける。この時いったんドアの吊込みを行い、縦枠の取付態様を確認して、以後の作業の為にドアを外す。而る後に幅木を施工し、クロスを貼る。その後にドアの吊込みを終える。
上記の施工技術によると、幅木、クロス貼り施工前に下地枠に対して縦枠を取付ける時に、いったんドアの吊込みを行なう為に、施工現場へ建具枠とドアの双方を同時に持込む必要があり、この同時積載の為にかさばる問題があった。
又、現場でいったんドアを吊込んだ後に、その後の幅木工事、クロス貼りの為にドアを外すものであるが、その外す工事や、外したドアを工事の邪魔にならない位置へ移動したりする作業が大変な手間となっていた。
更には、その後の幅木、クロス貼り施工の為に取付けた建具枠及び取外して置いてあるドア等建具を養生する作業も必要であった。とりわけ、その後に幅木、クロス貼り施工後に建具枠の調整の必要が生じたとか、その後の工事に於いて建具枠に傷が付いてしまったとか、施主の都合によりドアの開き勝手を変更しなければならなくなった等とかで、建具枠の取付けをやり直さなければならなくなった時に、壁を壊してやり直さねばならなかった。
【０００３】
そこでこれらの諸問題を解決するものとして本出願人は先に特願２００５−５０６５４（特許文献１）でドア枠の後付け工法を提案した。
【０００４】
【特許文献１】特願２００５−５０６５４
【０００５】
即ち、左右の壁各々に下地枠を取付け、次いでそれら壁に必要な幅木を施工し、クロスを貼り終えた後に、上記左右の下地枠各々に対して、左右の建具枠を鉛直度、真直度、隙間調節を行ないながら取付け部材を用いて取付け、而る後にドア、サッシュ等を取付ける工法に於いて、上記左右の下地枠各々に建具枠の嵌合用の嵌合溝を予め形成しておくと共に、建具枠の幅を壁の厚さ以下と成し、その左右各々の嵌合溝に対して左右各々の建具枠を嵌合させて、取付け部材を用いて取付け、建具枠を壁の厚み内に納めるようにして取付け建具枠の完全後付け工法である。
【発明の開示】
【発明が解決しようとする課題】
【０００６】
上記従来技術の場合、建具枠の完全後付けが出来るもので、上記の諸問題を解決できる有効な技術であるが、壁厚に対してドア枠（建具枠）を嵌合保持する下地枠の幅寸法が同等の大きさに決められている。従って新築の場合には予め壁厚が一定に定められ、下地枠の寸法もそれに合わせて決めればよくドア枠の完全後付け工法が有効に実施できるものの、既築建物に対しリフォームによってドアを取付ける工法を実施するとなると、十分に実施できない。何故ならばリフォーム対象の住宅の壁厚は様々であり、又は使用経過に伴い下地枠が曲ったり、反ったり、ねじれたりしている。この為に、ドア枠を嵌合保持する下地枠の幅寸法を、新築並の壁厚と同等程度に予め定めて施工しようとすると、リフォーム対象の住宅によっては壁厚以上に下地枠の幅寸法が大きくなり壁から出っ張ったりしてドア取付け部分のリフォーム工事が不能になったり、現場での修正の為の二次的作業が生じ工期に著しく遅れが生じたりするおそれがある。従ってこの意味で従来技術では既築建物に対しリフォームによってドアを取付ける工法を十分に実施できない。
【０００７】
従って、本発明の目的とするところは、リフォームによってドアを取付けるに際し、既築建物の壁厚が様々であったり、下地枠が曲ったり、反ったり、ゆがんだり等していても幅木、クロス施工後に完全にドア枠を後付けで取付けてドアを取付ける工法を提供するにある。
【課題を解決するための手段】
【０００８】
上記目的を達成する為に本発明は次の技術的手段を有する。即ち、リフォーム対象の住宅の左右の壁各々に下地枠を取付け、次いでそれら壁に必要な幅木を施工し、クロスを貼り終えた後に、上記左右の下地枠各々に対して、左右の縦枠を鉛直度、真直度、隙間調節を行いながら取付部材を用いて取付け、而る後にドアを取付けるリフォームによるドア取付け工法であって、
上記左右の下地枠各々に縦枠の嵌合用の嵌合溝を予め形成しておくと共に、上記壁の厚さ以下の幅より成り、表面にドアの端部に対向する面と、それから突出する突部が形成されて成る縦枠を有し、上記左右各々の嵌合溝に対して左右各々縦枠を嵌合させて、取付部材を用いて取付け、而る後に、上記縦枠の表面のドアの端部対向面にドアの端部を対向させてドアを取付けるリフォームによるドア取付け工法に於いて、
上記下地枠の幅寸法を、壁厚内に収まるよう小さく設定し、その幅寸法が小さく成された下地枠を壁に取付けた時に生ずる壁コーナの段差を解消すべく、壁コーナにコーナビートを被覆し、且つコーナビートの裏側にパテ材を充てんし、而る後に上記幅木を施工し、クロスを貼るようにしたことを特徴とするリフォームによるドア取付け工法である。
【発明の効果】
【０００９】
以上本発明によると次の効果がある。
１）リフォームする住宅のドア開口部を区画する壁厚は種々様々である。従って新築住宅のように建具枠（縦枠）を嵌合保持する下地枠の幅を一定の壁厚に合わせて一定の寸法に定めてしまって、現場でリフォーム工事の際に、その定めてしまった下地枠の幅が現場リフォーム対象住宅の壁厚を越えて、左右に下地枠の端部が出っ張ったりするおそれがある。この為ドア取付け工事のリフォーム工事が出来なかったり、著しい工期の遅れを生じずる。
ところが、この発明によると、下地枠の左右の幅を、想定される種々様々なリフォーム対象住宅のドア取付けの開口部を区画する壁厚に対して十分小さく納まり得る大きさに定め、且つこの結果招来する下地枠と仕上材の間のコーナの隙間をコーナビートの被覆及びパテ材の充てんで埋めるようにしたので、壁厚が種々様々であってもそれら壁厚に影響されることなく幅木の施工及びクロス貼りの全てを終了した後に、完全後付け工法でリフォームによってドアを吊込めるものである。
何故ならば、幅木の施工、クロスの貼り付けの後に左右の下地枠の嵌合溝に縦枠を嵌合し、取付部材によって縦枠の鉛直度、直線度並びに隙間調節を自由に行なえるからである。特にこの調節によって幅木の取付状態を変えることがないからである。この縦枠の調節前に、幅木は、仕様に即して施工でき、従ってクロスも仕様に沿って施工できるからである。
【００１０】
２）上記のように完全後付けができるからリフォーム建築工程上、クロスを貼る職人等の工期とドアを吊込む作業の工期とを完全に分離でき、作業効率がよくなる。
【００１１】
３）リフォーム工事の際、上記のように完全後付けができるから、縦枠やドアを作業上必要な直前に現場にもっていって施工すればよいこととなるので、それらを現場に放置する日数もほとんどなく、傷を負うこともないし、その損傷防止の為の現場内での置き場所移動作業や余分な養生も不要となり、作業効率が向上し、強いては低コスト化に寄与できる。
【００１２】
４）施工された建具枠の外的態様、ドア等を吊込んだ外的態様がシンプルでスッキリ感を与える。これは下地枠の左右を覆って縦枠が取付けられるものではなく、下地枠の左右の幅内に納まって縦枠が取付けられるからである。
【００１３】
５）下地枠の嵌合溝に縦枠が取付部材によって取り付けられているものであるが、縦枠の左右側面が嵌合溝の壁にしっかりと拘束されるから、他の補助部材を要することなく縦枠の取付強度が増す。
【００１４】
６）下地枠の嵌合溝に嵌合させて縦枠を取付けるので、左右の縦枠間の寸法（開口部の開口）を一定としたまま、縦枠の厚さを増すことができる。何故ならば、下地枠に形成する嵌合溝の深さを深くして、縦枠の厚さを増すことができるからである。これにより施工要求に応じて縦枠の強度を増すことができる。
【発明を実施するための最良の形態】
【００１５】
次に添付図面、図１〜図１１に従い本発明のリフォームによるドアの取付け工法の実施の形態を詳細に説明する。
実施形態の説明に当っては、ここでは、リフォームによって高さの高い、床から天井までその高さがあるドアの吊込みを例にとって説明する。
そして、図１〜図５に於いては開き戸について説明し、図６〜図１１に於いては引き戸に適用した例を説明する。
【００１６】
さて、このリフォームによるドアの取付け工法の場合、リフォーム前の建物の構造の中のドア取付部分と同じ場所にリフォーム後もドアを取付けることがほとんどであるが、中にはリフォーム前の建物の構造中のドア取付部分と異なった場所にリフォーム後にドアを取付ける場合もある。この実施の形態の説明に当って、両者は基本的に差異はないので、前の例で説明する。
ところで、このリフォームによるドアの取付けに於いて最も顕著なことは、ドアを取付け開口部を区画する壁の厚さがリフォーム対象の住宅によって様々であるということである。もう１つは、ドア吊込み用の縦枠（建具枠）及びそれを取付ける下地枠が建築当初の状態から使用年数を経ている為に曲ったり、ゆがんだり又は倒れ、反り、ねじれているということである。
本発明のリフォームによるドア取付け工法は、この２つの条件を乗り越えて、リフォームによってドア吊込み用のドア枠を完全に後付けして、ドアを取付けるようにすると共に、リフォームによって高さの高い床から天井までその高さがあるドアの吊込みを可能にし、而もシンプルな感じを呈するリフォームによるドアの取付け工法である。その為に採用した手段が、ドアの建具枠（縦枠）を取付ける為の下地枠の左右の幅を、リフォーム対象の様々な厚さの壁全てに適用できるように、而も長年の使用によって下地枠が曲ったりしていても適用できるように、壁の厚さ寸法より下地枠の左右幅を必要最低限に小さくしたものであり、且つ壁の厚さより下地枠の左右幅を小さくした分だけ壁のコーナの所に段差が生じてしまうが、その部分をコーナビートで覆い、且つコーナビートの内側にパテ材を充てんし、壁コーナの所の段差を解消するようにしたものである。
【００１７】
即ちリフォーム前にドアを取付ける所であった開口部Ａを区画する壁１の壁下地２、下地枠３ａ、３ｂ、プラスターボード４を整える。つまりこれらを修理し、施工する。この場合、リフォーム後の壁１の幅Ｗに対して、下地枠３ａ、３ｂの左右の幅Ｓを小さく設定する。つまり予め用意する下地枠３ａ、３ｂとして、種々様々な寸法のリフォーム後の壁にも適用できるよう、必要最低限の小さい幅寸法Ｓの下地枠３ａ、３ｂを用意しておく。
【００１８】
この結果下地枠３ａ、３ｂの端とプラスターボード４の間の所に段差が生じてしまうが、ここにコーナビート３０を被覆し、図２に最もよく表われているように穴３１を通して中の隙間にパテ材３２を充てんする。且つコーナビート３０とプラスターボード４との間の段差、コーナビート３０と下地枠３ａ、３ｂの表面８との間の段差にもパテ材３２を充てんする。これにより段差が解消される。この後に必要な幅木５を施工した後、クロス６を貼る。これらのことが図１、図２、図３によりよく示されている。
【００１９】
さて、本発明のリフォームによるドア取付け工法はこのように幅木５及びクロス６を貼り終わった後でもリフォームによるドア建具枠を完全に後付け施工できるようにしたもので、これは以下に示す構成によるものである。
先ず、上記に於いて示した下地枠３ａ、３ｂの各々にこの下地枠３ａ、３ｂを組付ける前に予め建具枠の縦枠を嵌合する為の嵌合溝７ａ、７ｂを形成しておく。逆に言えばこの嵌合溝７ａ、７ｂを有する下地枠３ａ、３ｂを、その嵌合溝７ａ、７ｂ部分が開口部Ａに向かうように組み付けるものである。この嵌合溝７ａ、７ｂの各々は、各下地枠３ａ、３ｂの表面８に、当該下地枠３ａ、３ｂの縦方向に沿って上から下まで凹状に形成するものである。
【００２０】
そして上記までの工程で、クロス６を貼る時に、そのクロス６の端部６ａを下地枠３ａ、３ｂの嵌合溝７ａ、７ｂの側壁に沿わせておく。勿論クロスの端部６ａを嵌合溝７ａ、７ｂの端部９に丁度合わせて貼ってもよい。
次いで予め用意しておいた建具枠の縦枠１０ａ、１０ｂの各々を上記下地枠３ａ、３ｂの嵌合溝７ａ、７ｂに嵌合する。嵌合した状態は図３、図５に各々示されている。即ち縦枠１０ａ、１０ｂの各々の幅Ｐは上記嵌合溝７ａ、７ｂの幅Ｔに過不足なく嵌合できる程度に設定されていると共に、その奥行Ｑは嵌合溝の奥行より大に設定されている。
【００２１】
そして、この縦枠１０ａ、１０ｂ各々には縦方向に沿って所定の間隔を置いて複数個例えば、５個の取付部材１１を備えている。この取付部材１１は種々の形状、構成のものを用いることができるが、この実施例に示すものは次の通りである。
即ち、幅木、クロス施工後に下地枠３ａ、３ｂの嵌合溝７ａ、７ｂに左右の縦枠１０ａ、１０ｂを取付けるものであり、この左右の縦枠１０ａ、１０ｂへの取付けは、取付部材１１によって行なわれるものである。
そして、上記取付部材１１は、取付部材１１が取付けられている上記左右の縦枠１０ａ、１０ｂの各々の下地枠３ａ、３ｂ側の側面とは反対側になる側面から下地枠３ａ、３ｂへの取付け及び下地枠３ａ、３ｂとの間の隙間を調整することができるように構成され、図４、図５に示したように、外周面にネジ部１２が形成された筒状部分を有する下地枠３ａ、３ｂに取付けられる固定部１３と、固定部１３のネジ部１２に螺合するネジ部が内面に形成されたフランジ１４を有する円筒状の回転部１５と、上記回転部１５に外嵌しフランジ１４を介して回転部１５を上記左右の縦枠１０ａ、１０ｂの下地枠３ａ、３ｂ側の側面に回転可能に取付ける取付リング１６より成るものであり、しかも、上記固定部１３の筒状部分には、ロックプレート１７が配設され、このロックプレート１７によって、ネジ部１２及び切欠１８が形成された筒状部分を押し広げることができるように成されている。
さらに、上記取付部材１１は、取付部材１１を成す固定部１３と回転部１５が螺合した状態で取付リング１６にて左右の縦枠１０ａ、１０ｂにあらかじめ取付けられており、回転部１５を回転させるための六角レンチＲの嵌合穴１９からビス２０を挿入し、このビス２０によって固定部１３を下地枠３ａ、３ｂに固定することで取付部材１１の固定が行なわれ、これにより、左右の縦枠１０ａ、１０ｂが、下地枠３ａ、３ｂの嵌合溝７ａ、７ｂに取付けられることとなる。
【００２２】
従って、幅木５の取付け、クロス６の貼り付け後に、即ち完全にクロスを貼り付けした後に、リフォームによって縦枠１０ａ、１０ｂの各々を、その取付部材１１を用いて下地枠３ａ、３ｂ各々に取付けることができる。
即ち、一方の縦枠１０ａに着目して述べると、嵌合溝７ａに対して縦枠１０ａを嵌合させる。そして、嵌合穴１９を利用してビス２０により固定部１３を下地枠３ａに取付ける。
次いで、上記縦枠１０ａの鉛直度及び直線度を調整するものであり、この調整は、上述した取付部材１１の回転部１５を、下地枠３ａに取付け固定された固定部１３に対して回転させることによって行なうものであり、上記回転部１５の回転は、回転部１５に設けられた嵌合穴１９に六角レンチＲを嵌合させ、これを回転させることによって行なわれ、しかも、上記回転部１５は、上記固定部１３のネジ部１２に螺合しているものであるので、微妙な調整も容易に行なうことができ、縦枠１０ａの鉛直度及び直線度の調整を正確に行うことができる。
他方の下地枠１０ｂに対する縦枠１０ｂの鉛直度及び直線度の調節及び取付けも同じである。
この後、上記左右の縦枠１０ａ、１０ｂによって構成されたドア枠内にドア２１の吊込みを行い、さらに、ドア枠とドア２１との間のチリ（隙間）の確認を行い、その調整を行うものであり、このチリの調整も、上記で示した左右の縦枠１０ａ、１０ｂの鉛直度及び直線度の調整と同様の手順で行うことができる。
さらに、上記ドア枠とドア２１との間のチリの調整を終えた後、上記取付部材１１の固定部１３内に配設されたロックプレート１７を回転させ、固定部１３の切欠１８が形成されたネジ部１２を押し広げ、回転部１５が固定部１３に対して回転しないように固定することによって、ドア枠の施工及びドア２１の吊込みが完了するものである。
【００２３】
ところで、上記壁の厚さ以下の幅より成る縦枠１０ａ、１０ｂの各々には、その表面にドア２１の端部が対抗する面Ｅと、その面Ｅより前に突出形成されている突部Ｆが区画されている。これによりドア２１を取付けた時、ドアの端部が上記面Ｅに対向する。従ってドア２１の端部は突部Ｆの背後に隠される。この為に図５に於いて一側Ｖ１から人が観た時、突部Ｆの端Ｆ１と壁の端Ｋ１が観え、他側Ｖ２から人が観た時、面Ｅの端Ｅ１と壁の端Ｋ１が観える。ともに２つの段部として映える。従ってスッキリした外的印象を人に与えるリフォームによるドア構造とすることができる。
ところで上記リフォームによるドアの吊込み、取付け例として示したものは開き戸であったが、リフォームによって引き戸にも適用できるものである。
図６〜図８はリフォームした片引き戸２２に適用した例、図９〜図１１はリフォームした引き違い戸２２に適用した例であり、以上までに説明したところと同一の部分は同一の符号を付し説明を省略する。
そして図７及び図１０に各々示すように引き戸２２は天井に吊下げられて開閉されるもので、天井材２５を支持する下地材２６に吊りレール２３を埋込態様で設け、引き戸の走行車輪２４を上記レール２３上を吊下げ態様にて走らせるようにするものである。この場合、天井材２５にクロス２７が貼られ、而もレール２３が天井材２５より上方に位置し、引き戸の上端が天井材２５と略同じ高さレベルに位置しているので、人が室内に立って引き戸を観た時、引き戸の吊りレール２３をほとんど認めることができない。
つまり上枠なしの観を呈すると共に、引き戸上部からの明かり漏れも完全に防止できる。
そして、引き戸が吊下げられているので図８、図１１に示すように引き戸２２の下端は床から僅かに浮き上っている。
そして、引き戸の振れ止め２８が床に設けられ、その振れ止め２８が引き戸２２の溝２９内に臨んでいる。
【００２４】
以上の実施形態によると次の効果がある。
１）リフォームする住宅のドア開口部を区画する壁厚は種々様々である。従って新築住宅のように建具枠（縦枠）を嵌合保持する下地枠の幅を一定の壁厚に合わせて一定の寸法に定めてしまって、現場でリフォーム工事の際に、その定めてしまった下地枠の幅が現場リフォーム対象住宅の壁厚を越えて、左右に下地枠の端部が出っ張ったりするおそれがある。この為ドア取付け工事のリフォーム工事が出来なかったり、著しい工期の遅れを生じずる。
ところが、この発明によると、下地枠の左右の幅を、想定される種々様々なリフォーム対象住宅のドア取付けの開口部を区画する壁厚に対して十分小さく納まり得る大きさに定め、且つこの結果招来する下地枠と仕上材の間のコーナの隙間をコーナビートの被覆及びパテ材の充てんで埋めるようにしたので、壁厚が種々様々であってもそれら壁厚に影響されることなく幅木の施工及びクロス貼りの全てを終了した後に、完全後付け工法でリフォームによってドアを吊込めるものである。
何故ならば、幅木５の施工、クロス６の貼り付けの後に左右の下地枠３ａ、３ｂの嵌合溝７ａ、７ｂに縦枠１０ａ、１０ｂを嵌合し、取付部材１１によって縦枠１０ａ、１０ｂの鉛直度、直線度並びに隙間調節を自由に行なえるからである。特にこの調節によって幅木５の取付状態を変えることがないからである。この縦枠１０ａ、１０ｂの調節前に、幅木５は、仕様に即して施工でき、従ってクロス６も仕様に沿って施工できるからである。
【００２５】
２）上記のように完全後付けができるからリフォーム建築工程上、クロスを貼る職人等の工期とドアを吊込む作業の工期とを完全に分離でき、作業効率がよくなる。
【００２６】
３）リフォーム工事の際、上記のように完全後付けができるから、縦枠やドアを作業上必要な直前に現場にもっていって施工すればよいこととなるので、それらを現場に放置する日数もほとんどなく、傷を負うこともないし、その損傷防止の為の現場内での置き場所移動作業や余分な養生も不要となり、作業効率が向上し、強いては低コストに寄与できる。
【００２７】
４）施工された建具枠の外的態様、ドア等を吊込んだ外的態様がシンプルでスッキリ感を与える。これは下地枠３ａ、３ｂの左右を覆って縦枠１０ａ、１０ｂが取付けられるものではなく、下地枠３ａ、３ｂの左右の幅内に納まって縦枠１０ａ、１０ｂが取付けられるからである。
【００２８】
５）下地枠３ａ、３ｂの嵌合溝７ａ、７ｂに縦枠１０ａ、１０ｂが取付部材１１によって取付けられているものであるが、縦枠１０ａ、１０ｂの左右側面が嵌合溝７ａ、７ｂの壁にしっかりと拘束されるから、他の補助部材を要することなく縦枠１０ａ、１０ｂの取付強度が増す。
【００２９】
６）下地枠３ａ、３ｂの嵌合溝７ａ、７ｂに嵌合させて縦枠１０ａ、１０ｂを取付けるので、左右の縦枠１０ａ、１０ｂ間の寸法（開口部の開口）を一定としたまま、縦枠１０ａ、１０ｂの厚さを増すことができる。何故ならば、下地枠３ａ、３ｂに形成する嵌合溝７ａ、７ｂの深さを深くして、縦枠１０ａ、１０ｂの厚さを増すことができるからである。これにより施工要求に応じて縦枠の強度を増すことができる。
【図面の簡単な説明】
【００３０】
【図１】本願のリフォームによるドアの取付け工法の工程の途中である幅木、クロス貼りを終えたところを示す正面図。
【図２】本願のリフォームによるドアの取付け工法の工程の途中であるコーナビートを取付けたところを示す斜視図。
【図３】図１の３−３線に沿って一方の縦枠の下地枠に対する嵌合、取付け状態を示す断面図。
【図４】縦枠を下地枠に取付ける為の取付部材の一例を示す分解斜視図。
【図５】図１の５−５線に沿って示した断面図。
【図６】本発明リフォームによるドアの取付け工法を片引き戸の取付けに適用した横断面図。
【図７】本発明リフォームによるドアの取付け工法を片引き戸の取付けに適用したドア上部断面図。
【図８】本発明リフォームによるドアの取付け工法を片引き戸の取付けに適用したドア下部断面図。
【図９】本発明リフォームによるドアの取付け工法を引違い戸の取付けに適用した横断面図。
【図１０】本発明リフォームによるドアの取付け工法を引違い戸の取付けに適用したドア上部断面図。
【図１１】本発明リフォームによるドアの取付け工法を引違い戸の取付けに適用した下部断面図。
【符号の説明】
【００３１】
１      壁
２      壁下地
Ａ      ドア取付けの為の開口部
３Ａ、３Ｂ    下地枠
４      プラスターボード
５      幅木
６      クロス
６ａ    クロスの端部
７Ａ、７Ｂ      縦枠を嵌合する為の嵌合溝
８      下地枠の表面
９      嵌合溝の端部
１０Ａ、１０Ｂ    縦枠
Ｐ      縦枠の幅
Ｔ      嵌合溝の幅
Ｑ      縦枠の奥行
１１    取付部材
１２    ネジ部
１３    固定部
１４    フランジ
１５    回転部
１６    リング
１７    ロックプレート
１８    切欠
Ｒ      六角レンチ
１９    嵌合穴
２０    ビス
２１    開き戸
２２    引き戸
Ｅ      ドア１の端部が対向する面
Ｆ      面Ｅより前に突出形成されている突部
Ｖ１    一側
Ｖ２    他側
Ｋ１    壁の端
Ｅ１    面Ｅの端
Ｆ１    突部Ｆの端
２３    吊りレール
２４    走行車輪
２５    天井材
２６    下地材
２７    クロス
２８    振れ止め
２９    溝
Ｗ      壁の幅
Ｓ      下地枠の幅
３０    コーナビート
３１    コーナビートの穴
３２    パテ材
【図１】
0004712566.tif 000002
【図２】
0004712566.tif 000003
【図３】
0004712566.tif 000004
【図４】
0004712566.tif 000005
【図５】
0004712566.tif 000006
【図６】
0004712566.tif 000007
【図７】
0004712566.tif 000008
【図８】
0004712566.tif 000009
【図９】
0004712566.tif 000010
【図１０】
0004712566.tif 000011
【図１１】
0004712566.tif 000012